(57)【要約】【課題】負荷電圧の変更に容易に対応可能とする。【解決手段】一方の蓄電装置Ａ１の常閉型接点部３と他方の蓄電装置Ａ２の常開型接点部２とが接続され、それぞれの蓄電装置Ａ１，Ａ２の蓄電池１同士が直列に接続される。そして、他方の蓄電装置Ａ２のコネクタ部６に負荷(図示せず)が接続されると、負荷に対して２つの蓄電装置Ａ１，Ａ２が直列に接続されて閉回路が形成され、各蓄電装置Ａ１，Ａ２から負荷に給電される。而して、負荷の定格電圧が２倍になった場合、上述のように２つの蓄電装置Ａ１，Ａ２を連結することで容易に対応することができる。【選択図】        図１
2014006990.tif 000002
【特許請求の範囲】
【請求項１】
蓄電池と、常開型接点部と、常閉型接点部と、前記蓄電池と前記常開型接点部と前記常閉型接点部の閉回路を形成する電気配線と、前記蓄電池、前記常開型接点部、前記常閉型接点部、前記電気配線を収納する筐体とを備え、前記常開型接点部と前記常閉型接点部は、互いに接続可能であり且つ前記常開型接点部によって開成される前記常閉型接点部を介して前記常開型接点部が閉成される構造を有することを特徴とする蓄電装置。
【請求項２】
前記筐体は、表面に開口し且つ前記常閉型接点部が内部に配置される凹所と、前記凹所の開口を開閉自在に塞ぐ扉とを有し、前記常開型接点部は、前記筐体の表面から突出し且つ前記扉を押し開いて前記常閉型接点部と接続可能であることを特徴とする請求項１記載の蓄電装置。
【発明の詳細な説明】
【技術分野】
【０００１】
本発明は、蓄電装置に関する。
【背景技術】
【０００２】
従来の蓄電装置として、例えば、特許文献１に記載された照明器具(非常灯)に用いられている電池ユニットがある。
【０００３】
図５は特許文献１記載の照明器具を示す分解斜視図である。この照明器具は、例えば天井材100に形成された孔101に下側から挿入されて固定される有底筒状の器具本体200を有し、器具本体200の内部に、点灯回路を収納した非常灯ブロック201が装着されている。
【０００４】
器具本体200の下端部の外周縁には、外側に突出する鍔200Aが略全周に亘って設けられている。また、器具本体200の外周面には、天井材100の上面に当接する取付金具200Bが、外周面から外側に突出する位置と、外周面の内側に引っ込んだ位置との間で移動自在に設けられている。而して、器具本体200は、取付金具200Bを内側に引っ込めた状態で孔101内に下側から挿入され、鍔200Aの上面に天井材100の下面を当接させた状態で、取付金具200Bを器具本体200の外周面から出っ張らせ、取付金具200Bを天井材100の上面に当接させることで、天井材100に取り付けられる。
【０００５】
この器具本体200には、下面の開口から、蓄電装置に相当する電池ユニット202が取り付けられた後、下面の開口を塞ぐようにして反射鏡ユニット203が取り付けられる。電池ユニット202の下面に設けられたソケット204は、反射鏡ユニット203の中央の孔から露出しており、このソケット204にランプ205が取り付けられる。
【０００６】
ところで、この種の非常用照明器具の光源として、従来のハロゲン電球に代えて発光ダイオードが採用されつつある。発光ダイオードは、ハロゲン電球と比較して長寿命、低消費電力という利点がある。
【先行技術文献】
【特許文献】
【０００７】
【特許文献１】実開平７−１６３１３号公報
【発明の概要】
【発明が解決しようとする課題】
【０００８】
ところで、１つの発光ダイオードで必要な明るさ(輝度)が得られない場合、複数個の発光ダイオードが直列に接続された発光ダイオードユニットが用いられる。この場合、負荷となる発光ダイオードユニットの定格電圧は、発光ダイオードの順方向電圧に、直列接続された発光ダイオードの個数を乗じた電圧となる。したがって、定格電圧が相対的に高い負荷(発光ダイオードユニット)に交換する場合、蓄電装置の電池電圧が不足してしまうため、より電池電圧の高い蓄電装置への交換が必要になる。
【０００９】
本発明は、上記課題に鑑みて為されたものであり、負荷電圧の変更に容易に対応可能とすることを目的とする。
【課題を解決するための手段】
【００１０】
本発明の蓄電装置は、蓄電池と、常開型接点部と、常閉型接点部と、前記蓄電池と前記常開型接点部と前記常閉型接点部の閉回路を形成する電気配線と、前記蓄電池、前記常開型接点部、前記常閉型接点部、前記電気配線を収納する筐体とを備え、前記常開型接点部と前記常閉型接点部は、互いに接続可能であり且つ前記常開型接点部によって開成される前記常閉型接点部を介して前記常開型接点部が閉成される構造を有することを特徴とする。
【００１１】
この蓄電装置において、前記筐体は、表面に開口し且つ前記常閉型接点部が内部に配置される凹所と、前記凹所の開口を開閉自在に塞ぐ扉とを有し、前記常開型接点部は、前記筐体の表面から突出し且つ前記扉を押し開いて前記常閉型接点部と接続可能であることが好ましい。
【発明の効果】
【００１２】
本発明の蓄電装置は、常開型接点部を他の蓄電装置の常閉型接点部に接続することで当該他の蓄電装置と連結することができるので、負荷電圧の変更に容易に対応可能になるという効果がある。
【図面の簡単な説明】
【００１３】
【図１】(ａ)，(ｂ)は本発明に係る蓄電装置の実施形態を示す斜視図である。
【図２】(ａ)，(ｂ)は同上の回路図である。
【図３】(ａ)，(ｂ)は凹所に扉を設けた実施形態を示す一部省略した断面図である。
【図４】(ａ)〜(ｃ)は凹所に扉を設けた実施形態を示す一部省略した斜視図である。
【図５】従来例を示す分解斜視図である。
【発明を実施するための形態】
【００１４】
以下、図面を参照して、本発明に係る蓄電装置の実施形態を詳細に説明する。
【００１５】
本実施形態の蓄電装置Ａは、図１及び図２に示すように蓄電池１、常開型接点部２、常閉型接点部３、電気配線４、筐体５などを備える。蓄電池１は、ニッケル水素電池セルやリチウムイオン電池セルなどが複数個直列に接続されて構成されている。筐体５は、扁平な矩形箱状の合成樹脂成形体からなり、内部に蓄電池１を収納している。
【００１６】
常開型接点部２は、図１(ａ)に示すように筐体５の側面中央から突出する支持部21と、支持部21に支持された一対の接点板20，20とで構成される。支持部21は、矩形平板状の主部210と、主部210よりも幅の狭い矩形平板状であって主部210の両端に連結された一対の側部211，211とで構成される。そして、厚み方向における主部210の両面に接点板20，20がインサート成形されている。つまり、一対の接点板20，20は、絶縁体からなる主部210によって絶縁(開成)されている。
【００１７】
ここで、常開型接点部２には保護キャップ７が着脱自在に装着される。この保護キャップ７は、一面が開口する角筒状に形成されたキャップ本体70と、キャップ本体70内に収納された端子ばね71とを有する。端子ばね71は、ばね性を有する幅細の金属板が略Ω状に曲げ加工されてなり、開放された先端部が開口面に対向する向きでキャップ本体70内に収納されている。つまり、保護キャップ７が常開型接点部２に装着されると、キャップ本体70の開口内に挿入された支持部21が端子ばね71の先端部の間に進入し、支持部21に支持された各接点板20，20に端子ばね71の一対の先端部が各別に弾接する。その結果、端子ばね71を介して接点板20，20が短絡することで常開型接点部２が閉成される。
【００１８】
常閉型接点部３は、一対の接点ばね30，30からなり、図１(ｂ)に示すように常開型接点部２が設けられている側面と反対側の筐体５の側面中央に設けられた凹所50内に配設されている。接点ばね30は、ばね性を有する幅細の金属板からなり、長手方向に対向する凹所50の内側面から凹所50の底面と略平行に突出し、その先端部が山型に折り曲げられて互いに弾接している。なお、一方の接点ばね30は電気配線４によって常開型接点部２の一方の接点板20と接続され、他方の接点ばね30は電気配線４によって蓄電池１の正極と接続されている(図２(ａ)参照)。
【００１９】
また、常開型接点部２及び常閉型接点部３が設けられている側面と別の側面に負荷接続用のコネクタ部６が設けられている。コネクタ部６は、筐体５の側面から突出し且つ前面に一対の差込孔600，600が開口した直方体状のコネクタ本体60と、コネクタ本体60の差込孔600，600内にそれぞれ収納された一対のコンタクト(図示せず)とを有する。一方のコンタクトが電気配線４によって常開型接点部２の他方の接点板20と接続され、他方のコンタクトが電気配線４によって蓄電池１の負極と接続されている(図２(ａ)参照)。
【００２０】
まず、蓄電装置Ａが単独で使用される場合について説明する。単独使用の場合、図２(ａ)に示すように常開型接点部２に保護キャップ７が装着され、コネクタ部６に負荷(図示せず)が接続される。そうすると、蓄電池１の正極→常閉型接点部３→常開型接点部２→保護キャップ７の端子ばね71→コネクタ部６→負荷→コネクタ部６→蓄電池１の負極の閉回路が形成され、蓄電池１から負荷に給電される。
【００２１】
次に、２つの蓄電装置Ａ１，Ａ２が連結して使用される場合について説明する。連結使用の場合、図２(ｂ)に示すように一方の蓄電装置Ａ１の常閉型接点部３と他方の蓄電装置Ａ２の常開型接点部２とが接続され、それぞれの蓄電装置Ａ１，Ａ２の蓄電池１同士が直列に接続される。すなわち、一方の蓄電装置Ａ１における筐体５の凹所50内に、他方の蓄電装置Ａ２の常開型接点部２が挿入されると、常開型接点部２の支持部21が一対の接点ばね30，30の間に進入し、支持部21に支持された各接点板20，20に接点ばね30，30の先端部が各別に弾接する。その結果、一方の蓄電装置Ａ１の常閉型接点部３が開成されると同時に他方の蓄電装置Ａ２の常開型接点部２が蓄電装置Ａ１の常閉型接点部３の接点ばね30，30を介して閉成される。
【００２２】
ここで、一方の蓄電装置Ａ１においては、常開型接点部２に保護キャップ７が装着されるとともに、コネクタ部６にも保護キャップ８が装着される。この保護キャップ８は、一面が開口する角筒状に形成されたキャップ本体80と、キャップ本体80の内底面から互いに平行に起立する一対の端子ピン(図示せず)とを有する。なお、一対の端子ピンは導電板(図示せず)などで電気的に接続されている。つまり、保護キャップ８がコネクタ部６に装着されると、キャップ本体80の開口内に挿入された差込孔600，600内に一対の端子ピンが差し込まれ、一対の端子ピンと導電板を介してコネクタ部６の一対のコンタクトが電気的に接続される。
【００２３】
そして、他方の蓄電装置Ａ２のコネクタ部６に負荷(図示せず)が接続されると、負荷に対して２つの蓄電装置Ａ１，Ａ２が直列に接続されて閉回路が形成され、各蓄電装置Ａ１，Ａ２から負荷に給電される。なお、２つの蓄電装置Ａ１，Ａ２を連結する場合について説明したが、３つ以上の蓄電装置Ａ１，Ａ２，Ａ３，…を連結して負荷に給電することも勿論可能である。
【００２４】
而して、負荷の定格電圧が２倍になった場合、上述のように２つの蓄電装置Ａ１，Ａ２を連結することで容易に対応することができる。なお、本実施形態ではコネクタ部６に負荷を接続する構造としたが、常開型接点部２又は常閉型接点部３に負荷を接続することも可能であるから、コネクタ部６は必ずしも必要ではない。
【００２５】
ここで、常開型接点部２は保護キャップ７を装着することで保護可能であるが、常閉型接点部３は凹所50の開口を通して露出しているため、接点ばね30，30に異物が付着して導通不良となる虞がある。
【００２６】
そこで、以下に説明するように、凹所50の開口を開閉自在に塞ぐ扉51を設けることが好ましい。扉51は、図３及び図４に示すように凹所50の開口よりも一回り小さい矩形平板状に形成され、長手方向に沿った一端部において、回動自在に筐体５に軸支されている。また、凹所50の底面には棒状のストッパ52が突設されており、ストッパ52の先端に当接することで扉51が凹所50の開口を塞ぐ位置に固定される(図３(ａ)及び図４(ａ)参照)。このストッパ52は、一部分が薄肉とされ、薄肉部分520よりも先端側の部位が角錐台形状に形成されている(図３(ａ)参照)。
【００２７】
また、矩形平板状の突片53が、常開型接点部２が設けられている筐体５の側面から支持部21の主部210と並行する向きに突設されている。なお、突片53の先端には、傾斜面が形成されている。
【００２８】
而して、凹所50内に常開型接点部２及び突片53が挿入されると、突片53の先端に押されたストッパ52が薄肉部分520で折れ曲がり、ストッパ52による扉51の回動規制が解除される。そして、常開型接点部２の支持部21が一対の接点ばね30，30の間に進入し、支持部21に支持された各接点板20，20に接点ばね30，30の先端部が各別に弾接する(図３及び図４参照)。
【００２９】
上述のように常閉型接点部３が配設されている凹所50の開口を扉51で塞いでいるため、接点ばね30，30に異物が付着して導通不良となることが防止できる。しかも、通常通りに２つの蓄電装置Ａ１，Ａ２の常開型接点部２と常閉型接点部３を接続する過程で自動的に扉51を開いて接点ばね30，30を露出させることができる。
【符号の説明】
【００３０】
１  蓄電池
２  常開型接点部
３  常閉型接点部
４  電気配線
５  筐体
【図１】
2014006990.tif 000003
【図２】
2014006990.tif 000004
【図３】
2014006990.tif 000005
【図４】
2014006990.tif 000006
【図５】
2014006990.tif 000007